(57)【要約】【課題】使用者が複数の情報端末から接続対象を任意に変更することができるインプットデバイスを提供する。【解決手段】インプットデバイス２及び少なくとも１つの情報端末１間の接続に利用できる複数切換可能なインプットデバイスに関する。インプットデバイスはブルートゥースデバイス３１，３２を備える。インプットデバイスはメモリユニット２３、回路ユニット２２及び制御ユニット２１を備える。メモリユニットは予め複数のデータテーブルが設定され、ブルートゥースデバイスは複数の情報端末から複数組の通信機器情報を取得する。制御ユニットは各情報端末に対応する通信機器情報をメモリユニットのデータテーブルに保存する。回路ユニット２２は使用者の操作により対応する選択信号を送信する。制御ユニット２１は選択信号によりメモリユニット２３のデータテーブルの特定の通信機器情報を読み取り、ブルートゥースデバイス３１，３２を情報端末１へ接続する。【選択図】図２
2014179106.tif 000002
【特許請求の範囲】
【請求項１】
複数切換可能なインプットデバイスであって、
複数の接続可能な情報端末（１）から複数組の通信機器情報を取得するブルートゥースデバイス（３２）と、
予め複数のデータテーブル（２３１）が設定されるメモリユニット（２３）と、
前記情報端末（１）の通信機器情報を前記メモリユニット（２３）の前記データテーブル（２３１）に保存し、前記ブルートゥースデバイス（３２）、前記メモリユニット（２３）と電気的に接続される制御ユニット（２１）と、
使用者の操作により対応する選択信号を発信する回路ユニット（２２）と、
を備え、
前記制御ユニット（２１）は前記メモリユニット（２３）の前記データテーブル（２３１）から前記選択信号と対応する前記情報端末（１）の通信機器情報を読み取り、前記ブルートゥースデバイス（３２）を前記情報端末（１）に接続させる
ことを特徴とする複数切換可能なインプットデバイス。
【請求項２】
前記インプットデバイス（２）は前記回路ユニット（２２）に、文字信号を前記情報端末（１）に送信させる複数のボタン及び複数の装置切換ボタン（２４）を備え、異なる前記装置切換ボタン（２４）は前記回路ユニット（２２）に異なる前記データテーブル（２３１）に対応した選択信号を発生させることを特徴とする請求項１に記載の複数切換可能なインプットデバイス。
【請求項３】
前記インプットデバイス（２）は前記回路ユニット（２２）に、文字信号を前記情報端末（１）に送信させる複数のキーを備え、前記キーは少なくとも２つのキーの組み合わせにより前記回路ユニット（２２）に異なる選択信号を発生させ、前記異なる選択信号は異なる前記データテーブル（２３１）に対応していることを特徴とする請求項１に記載の複数切換可能なインプットデバイス。
【発明の詳細な説明】
【技術分野】
【０００１】
本発明は、複数切換可能なインプットデバイス、より詳しくは、無線情報により複数の情報端末に対し個別に入力を行うインプットデバイスに関する。
【背景技術】
【０００２】
キーボードはパソコンにおいて、必要不可欠な周辺機器である。パソコンが急速に進歩する中、キーボードはその態様をほぼ変えず維持している。しかしキーボードの材質及び構造の改良が進むにつれて、キーボードのサイズ及び重量は大幅に軽減され、更には折りたたみ式キーボードや巻き取り式キーボードまで現れ、これらのキーボードの進化はキーボードを持ち運びに便利なパソコン用周辺機器とした。しかし、キーボードを活用する際に重要なポイントとなるのは、従来のキーボードがパソコンと接続ケーブルで接続される必要があることだ。使用範囲及び使用環境は、接続ケーブルの長さに制限される。そこで、台湾特許第５１０５３７号では、無線技術をキーボード上に利用する「無線キーボード」について記載されている。該発明は赤外線或いはＲＦ（Ｒａｄｉｏ Ｆｒｅｑｕｅｎｃｙ）を利用し、パソコンとの情報伝達を可能にしている。このような無線技術（主に赤外線）を利用するキーボードは、キーボードの使用範囲が接続ケーブルに制限されるという技術的問題を解決したが、赤外線は接続距離、角度及び障害物に影響を受けるという欠点があり、無線信号がこれらの要因によりエラーを起こしやすい。
【０００３】
無線技術を改善する他に、従来のキーボードには応用できる範囲が狭いという欠点もある。従来のキーボードはパソコンで使用されるよう考えられているので、ＵＳＢインターフェイスが普及する以前は、ＰＳ２端子のようなキーボード接続インターフェイスが利用されたが、これはパソコンにしか接続できない。しかし使用者が、パソコン以外の製品に文字入力を行う必要性は少なくない。台湾特許第５３２５２３号には「ＰＤＡ赤外線キーボード」が記載されている。該発明の主な技術はキーボード上にＰＤＡを載せるための台座を備え、前記台座には更に赤外線装置が設置されている。ＰＤＡを前記台座に載せることで、赤外線装置とＰＤＡの接続を安定させることが可能であり、これによりキーボードを利用してＰＤＡに入力を行うことができるため、直接ＰＤＡ上で入力を行うよりも素速く入力を行うことができ、効果的である。
【０００４】
最近ではキーボードにブルートゥース技術を利用したものも現れた。台湾特許第Ｍ３４１２６６号に記載された「ボタンとキーボード」では、導電膜をアンテナの一部とし、導電膜をキーボード上のキーの下に設置することでキー自体にアンテナの機能を備えさせ、ブルートゥースの機能を備えるだけでなく小型化も可能にした。
【０００５】
ブルートゥースを備えたキーボードは赤外線より利便性に優れるが、現在あるブルートゥース技術を利用したキーボードは単一デバイス間での接続に使われるものがほとんどであり、ブルートゥースの範囲内にある複数のデバイスと切り換えながら接続する技術には改善の余地がある。
【先行技術文献】
【特許文献】
【０００６】
【特許文献１】台湾特許第５１０５３７号公報
【特許文献２】台湾特許第５３２５２３号公報
【特許文献３】台湾特許第Ｍ３４１２６６号公報
【発明の概要】
【発明が解決しようとする課題】
【０００７】
上述の従来技術を改善すべく、本発明の目的は、使用者が複数の情報端末から接続対象を任意に変更することができるインプットデバイスを提供することである。
【課題を解決するための手段】
【０００８】
本発明は、インプットデバイス及び少なくとも１つの情報端末間の接続に利用できる複数切換可能なインプットデバイスに関する。前記インプットデバイスはブルートゥースデバイスを備える。前記インプットデバイスはメモリユニット、回路ユニット及び制御ユニットを備える。前記メモリユニットは予め複数のデータテーブルが設定され、前記ブルートゥースデバイスは複数の情報端末から複数組の通信機器情報を取得する。前記制御ユニットは各情報端末に対応する通信機器情報を前記メモリユニットのデータテーブルに保存する。前記回路ユニットは使用者の操作により対応する選択信号を送信する。前記制御ユニットは前記選択信号により前記メモリユニットのデータテーブルの特定の通信機器情報を読み取り、前記ブルートゥースデバイスを情報端末へ接続する。
【０００９】
上述の技術により、前記インプットデバイスは同時に複数の情報端末と接続するのに必要な通信機器情報を保存し、使用者はボタン或いはスイッチにより通信機器情報を選択し、目的の情報端末と接続を確立する。前述の通信機器情報はＢＤアドレス（ＢＤ＿ａｄｄｒｅｓｓ）或いはリンクキー（ ｌｉｎｋ ｋｅｙ）或いはその両方を組み合わせたものである。
【発明の効果】
【００１０】
本発明は使用者が１つのインプットデバイスから複数の情報端末へ入力を行うことを可能にし、切換に便利で、接続ケーブルに制限を受けないというメリットがある。
【図面の簡単な説明】
【００１１】
【図１】本発明の複数切換可能なインプットデバイスを示すブロック図である。
【図２】本発明のインプットデバイスの回路を示すブロック図である。
【図３】本発明の複数切換可能なインプットデバイスの読み取りを示す説明図である。
【図４】本発明の複数切換可能なインプットデバイスの実施例１を示す説明図である。
【図５】本発明の複数切換可能なインプットデバイスの実施例２を示す説明図である。
【図６】本発明の複数切換可能なインプットデバイスの実施例３を示す説明図である。
【図７】本発明の複数切換可能なインプットデバイスの実施例４を示す説明図である。
【図８】本発明の複数切換可能なインプットデバイスの実施例５を示す説明図である。
【発明を実施するための形態】
【００１２】
本発明は、無線技術を利用したインプットデバイス及び少なくとも１つの情報端末間の接続に利用できる複数切換可能なインプットデバイスに関する。図１は本発明の複数切換可能なインプットデバイスを示すブロック図であり、図２は本発明のインプットデバイスの回路を示すブロック図である。また、図３は本発明の複数切換可能なインプットデバイスの読み取りを示す説明図である。図１及び図２に示すように、インプットデバイス２はブルートゥースデバイス３２を備え、同じくブルートゥースデバイス３１を備える少なくとも１つの情報端末１との間で接続を行う。ブルートゥースデバイス３１、３２は情報端末１或いはインプットデバイス２に外付け或いは内蔵される。インプットデバイス２は制御ユニット２１、回路ユニット２２及びメモリユニット２３を備える。メモリユニット２３は予め複数のデータテーブル２３１が設定される（図３に示す）。ブルートゥースデバイス３２は使用者の操作により周囲にある接続可能な情報端末１をサーチし、接続を行う際に、各情報端末１の通信機器情報をメモリユニット２３の各データテーブル２３１へ保存する。
【００１３】
インプットデバイス２の回路ユニット２２は使用者の操作により選択信号を発信し、選択信号は制御ユニット２１へ送られる。各異なる選択信号はそれぞれ異なるデータテーブル２３１に対応している。制御ユニット２１は選択信号を受け取った際、メモリユニット２３から選択信号に対応するデータテーブル２３１を読み取り、データテーブル２３１内の通信機器情報をブルートゥースデバイス３２に送り、対応する情報端末１と接続を確立する。前述の通信機器情報はＢＤアドレス（ＢＤ＿ａｄｄｒｅｓｓ）或いはリンクキー（ ｌｉｎｋ ｋｅｙ）或いはその両方を組み合わせたものである。図３の実施例では、通信機器情報をＢＤアドレス（ＢＤ＿ａｄｄｒｅｓｓ）及びリンクキー（ ｌｉｎｋ ｋｅｙ）を組み合わせたものを例としている。図３に示すように、メモリユニット２３は予め複数のデータテーブル２３１が設定され、それぞれのデータテーブル２３１には一組の通信機器情報が保存される。通信機器情報は、ＢＤアドレス（ＢＤ＿ａｄｄｒｅｓｓ）及びリンクキー（ｌｉｎｋ ｋｅｙ）の組み合わせである。
【００１４】
上述の回路構造は具体的な実施の際には様々な態様で実施される。図４は本発明の複数切換可能なインプットデバイスの実施例１を示す説明図である。図４の実施例では、インプットデバイス２はキーボードである。前記キーボードは回路ユニット２２により文字信号を情報端末１へインプットする、複数のキー及び複数の装置切換ボタン２４を備える。異なる装置切換ボタン２４により、回路ユニット２２はデータテーブル２３１に対応する異なる選択信号を発信する。
【００１５】
図５は本発明の複数切換可能なインプットデバイスの実施例２を示す説明図である。図５の実施例では、前記キーボード上の複数のキーの組み合わせにより回路ユニット２２に異なる選択信号を発生させる。異なる選択信号は異なるデータテーブル２３１に対応しており、キーの組み合わせは少なくとも２つのキーを含む。図５に示す実施例では、キーボードは切換ボタン２５を備え、切換ボタン２５を押しながら複数のキーのうち少なくとも１つを押すことで特定のキーの組み合わせとなり、対応する選択信号を発信する。例えば、使用者は切換ボタン２５を押しながらＦ１キーからＦ４キーのうちのどれかを押すことで、４つの情報端末の中から１つを選んで接続することができる。
【００１６】
図６は本発明の複数切換可能なインプットデバイスの実施例３を示す説明図である。図６の実施例では、前記キーボードは多段スイッチ２６を備える。多段スイッチ２６は複数の切換位置を有し、回路ユニット２２に対応する異なる選択信号を発生させる。図６に示すように、情報端末１はパソコン、携帯電話、或いはＰＤＡやテレビゲーム機であり、前記パソコンはノートパソコンを含む。
【００１７】
図７は本発明の複数切換可能なインプットデバイスの実施例４を示す説明図であり、図８は本発明の複数切換可能なインプットデバイスの実施例５を示す説明図である。図７の実施例ではインプットデバイス２はマウスであり、図８の実施例ではインプットデバイスはゲームコントローラである。前記マウス或いは前記ゲームコントローラは、切換を制御する装置として前述の装置切換ボタン、複数のキーの組み合わせ、或いは多段スイッチを使用できる。本発明の内容を基に、当業者が容易に想到し得る態様は全て本発明の範囲に属する。前述の選択装置の設計により、前記マウス或いは前記ゲームコントローラを操作することで回路ユニット２２に異なる選択信号を発生させ、制御ユニット２１にメモリユニット２３のデータテーブル２３１から特定の通信機器情報を読み取らせ、それに対応する情報端末１と接続する。これにより切換ができ、更に接続ケーブルに制限を受けないメリットも受け継ぐ。
【００１８】
上述において、本発明の説明の利便性のために最良の実施例を挙げて説明したが、これらの実施例は本発明の請求の範囲を限定するものではない。通信機器情報及び選択信号の対応及び読み取り関係はソフト或いは各種プログラムにより、メモリアドレスの読み取り等に異なった態様がある。データの保存及び読み取りの方法は本発明が重視する技術的特徴ではなく、読み取りの方法についてはコンピュータプログラムの領域において当業者が容易に想到し得るものである。本発明の請求の範囲を離脱しないあらゆる当業者がなし得る本発明の変更は全て本発明の請求の範囲に属する。
【産業上の利用可能性】
【００１９】
本発明は、インプットデバイスに適用することができる。
【符号の説明】
【００２０】
１       情報端末
２       インプットデバイス
２１     制御ユニット
２２     回路ユニット
２３     メモリユニット
２４     装置切換ボタン
２５     切換ボタン
２６     多段スイッチ
３１     ブルートゥースデバイス
３２     ブルートゥースデバイス
２３１   データテーブル
【図１】
2014179106.tif 000003
【図２】
2014179106.tif 000004
【図３】
2014179106.tif 000005
【図４】
2014179106.tif 000006
【図５】
2014179106.tif 000007
【図６】
2014179106.tif 000008
【図７】
2014179106.tif 000009
【図８】
2014179106.tif 000010